(57)【要約】【課題】  部品の配置の自由度が高い回路遮断器を提供する。【解決手段】  ２個の固定接点１１，１２をそれぞれ収納及び保持したハウジング４と、固定接点１１，１２に対し一対一に離接可能であって互いに電気的に接続された２個の可動接点２１，２２とを備える。ハウジング４において一方の固定接点１１の近傍にはハウジング４の内外を連通させる通気穴４２が設けられている。また、加熱されたときにガスを発生させる材料からなりハウジング４内において通気穴４２との間に固定接点１１，１２を挟む消弧体８を備える。消弧体８を挟んで固定接点１１，１２の反対側には部品の配置について特に制限が生じないから、通気穴４２が固定接点１１，１２の両側に設けられる場合に比べ、部品の配置の自由度が向上する。【選択図】図１
2013069463.tif 000002
【特許請求の範囲】
【請求項１】
２個の固定接点をそれぞれ収納及び保持したハウジングと、
前記固定接点に対し一対一に離接可能であって互いに電気的に接続された２個の可動接点と、
異常を検出して各可動接点をそれぞれ前記固定接点から引き離す引外し装置とを備え、
前記ハウジングにおいて一方の前記固定接点の近傍には前記ハウジングの内外を連通させる通気穴が設けられていて、
加熱されたときにガスを発生させる材料からなり前記ハウジング内において他方の前記固定接点を挟んで前記通気穴の反対側に配置された消弧体を備えることを特徴とする回路遮断器。
【請求項２】
前記消弧体は、メラミン樹脂、又は、水酸化マグネシウムを含むポリアミド樹脂からなることを特徴とする請求項１記載の回路遮断器。
【請求項３】
前記消弧体において前記他方の固定接点に向けられた面には凹部と凸部との少なくとも一方が複数個設けられていることを特徴とする請求項１又は請求項２記載の回路遮断器。
【請求項４】
前記消弧体は、２個の前記固定接点が並ぶ方向と前記可動接点の動作方向とに交差する方向において、前記他方の固定接点を挟む形状であることを特徴とする請求項１〜３のいずれか１項に記載の回路遮断器。
【発明の詳細な説明】
【技術分野】
【０００１】
本発明は、回路遮断器に関するものである。
【背景技術】
【０００２】
従来から、過電流等の異常を検出して回路を遮断させる回路遮断器として、互いに直列に接続された２組の接点を同時に開閉するものが提供されている。
【０００３】
従来、この種の回路遮断器では、上記２組の接点を収納したハウジングにおいて、２組の接点が並ぶ方向での両側の壁に、それぞれ通気穴が設けられていた（例えば、特許文献１参照）。
【先行技術文献】
【特許文献】
【０００４】
【特許文献１】特開２００７−２４２４６３号公報
【発明の概要】
【発明が解決しようとする課題】
【０００５】
上記の通気穴は、接点の開極時などに発生したガスを放出するために設けられているので、上記のガスの流れを妨げるような部品を、接点と通気穴との間に配置することができなかった。
【０００６】
本発明は、上記事由に鑑みて為されたものであり、その目的は、部品の配置の自由度が高い回路遮断器を提供することにある。
【課題を解決するための手段】
【０００７】
本発明の回路遮断器は、２個の固定接点をそれぞれ収納及び保持したハウジングと、前記固定接点に対し一対一に離接可能であって互いに電気的に接続された２個の可動接点と、異常を検出して各可動接点をそれぞれ前記固定接点から引き離す引外し装置とを備え、前記ハウジングにおいて一方の前記固定接点の近傍には前記ハウジングの内外を連通させる通気穴が設けられていて、加熱されたときにガスを発生させる材料からなり前記ハウジング内において他方の前記固定接点を挟んで前記通気穴の反対側に配置された消弧体を備えることを特徴とする。
【０００８】
上記の回路遮断器において、前記消弧体は、メラミン樹脂、又は、水酸化マグネシウムを含むポリアミド樹脂からなるものであってもよい。
【０００９】
また、上記の回路遮断器において、前記消弧体において前記他方の固定接点に向けられた面には凹部と凸部との少なくとも一方が複数個設けられていることが望ましい。
【００１０】
さらに、上記の回路遮断器において、前記消弧体は、２個の前記固定接点が並ぶ方向と前記可動接点の動作方向とに交差する方向において、前記他方の固定接点を挟む形状であってもよい。
【発明の効果】
【００１１】
本発明によれば、消弧体を挟んで固定接点の反対側にも部品を配置することができるから、固定接点が並ぶ方向での両側にそれぞれ通気穴が設けられる場合に比べ、部品の配置の自由度が高くなる。
【図面の簡単な説明】
【００１２】
【図１】本発明の実施形態を示す断面図である。
【図２】同上の変更例の要部を示す断面図である。
【発明を実施するための形態】
【００１３】
以下、本発明を実施するための最良の形態について、図面を参照しながら説明する。
【００１４】
本実施形態は、図１に示すように、２組の固定接点１１，１２及び可動接点２１，２２と、異常が検出されたときに各可動接点２１，２２をそれぞれ固定接点１１，１２から引き離す駆動装置３と、上記の各部を収納した箱状のハウジング４とを備える。以下、上下左右は図１を基準として説明する。
【００１５】
ハウジング４の上端部には、一端が電源（図示せず）に接続された電線５の他端が接続される第１端子６１が保持されている。さらに、ハウジング４の下端部には、一端が負荷に接続された電線（図示せず）の他端が接続される第２端子６２が保持されている。第１端子６１は上側の固定接点（以下、「第１固定接点」と呼ぶ。）１１に電気的に接続され、第２端子６２は下側の固定接点（以下、「第２固定接点」と呼ぶ。）１２に電気的に接続されている。
【００１６】
各可動接点２１，２２は、上下に長く厚さ方向を左右方向に向けた金属板からなる可動接触子３１１の、上端部の右面と、下端部の左面とに、それぞれ設けられている。可動接触子３１１は、合成樹脂からなる成型体３１２に例えばインサート成型により一体化されて回転子３１を構成している。回転子３１は、ハウジング４に対して図１の紙面に直交する軸周りに回転可能に支持されている。そして、回転子３１がハウジング４に対して左右に回転することで、各可動接点２１，２２は、それぞれ、対応する固定接点１１，１２に対して略同時に離接する。各可動接点２１，２２がそれぞれ対応する固定接点１１，１２に接触した状態では、第１端子６１と第２端子６２とが、固定接点１１，１２及び可動接点２１，２２や可動接触子３１１等を介して互いに電気的に接続される。つまり、本実施形態では、第１端子６１と第２端子６２との間に、２組の接点が互いに直列に接続されている。ここで、第１端子６１と第２端子６２と固定接点１１，１２と可動接点２１，２２と可動接触子３１１とが構成する電路は、図１では１個のみ示されているが、上記のような電路を複数個設けてもよい。
【００１７】
引外し装置３は、ハウジング４の右方に突出するとともに操作力を受けてハウジング４に対して回転可能なハンドル３２や、電磁石装置３３や、零相変流器３４を有する。電磁石装置３３は、ハウジング４に対して固定された電磁石３３１と、磁性体からなり電磁石３３１の磁力により駆動される接極子３３２とを有する。電磁石装置３３は、例えば、零相変流器３４によって地絡が検出されたときや、第２固定接点１２と第２端子６２との間に過電流が流れたときに動作する。ハンドル３２と電磁石装置３３（接極子３３２）とはそれぞれ適宜のリンク（図示せず）を介して回転子３１に連結されている。地絡や過電流といった異常が検出されたときには、電磁石装置３３が動作して回転子３１が図１での反時計回りに回転駆動されることにより、各可動接点２１，２２はそれぞれ固定接点１１，１２から引き離され、端子６１，６２間の電路は遮断される。また、ハンドル３２を手動で回転させることによっても、回転子３１を回転させて端子６１，６２間の電路を開閉することができる。上記のような引外し装置３は周知技術で実現可能であるので、詳細な図示並びに説明は省略する。
【００１８】
また、ハウジング４において、第１可動接点２１の可動範囲の上側（つまり第１固定接点１１の近傍）の外面には凹部４１が設けられ、この凹部４１の内周面にはハウジング４の内側に連通する貫通穴である通気穴４２が開口している。すなわち、通気穴４２の貫通方向は、第１固定接点１１と通気穴４２とが並ぶ方向（ほぼ上下方向）に交差する方向である水平方向となっている。上記の通気穴４２は、接点開放時に発生するガスの通り道となる。
【００１９】
さらに、第１可動接点２１の可動範囲と通気穴４２との間には、接点開放時のアークを分断する複数個（図では３個）の消弧板７１が配置されている。
【００２０】
また、第２可動接点２２の可動範囲の下側（つまり、通気穴４２との間に各固定接点１１，１２を挟む位置）には消弧体８が配置されている。消弧体８は加熱されたときにガスを発生させる材料からなる。すなわち、第２可動接点２２と第２固定接点１２との間にアークが発生すると、そのアークによって消弧体８が加熱されて発生したガスにより消弧が達成される。消弧体８の材料としては、例えば、メラミン樹脂や、水酸化マグネシウム（Ｍｇ（ＯＨ）２）を含むポリアミド系樹脂を用いることができる。メラミン樹脂からなる消弧体８は上記のガスとして水素を発生させ、水酸化マグネシウムを含むポリアミド系樹脂からなる消弧体８は上記のガスとして水蒸気を発生させる。上記のガスは、通気穴４２を通じてハウジング４外に排出される。
【００２１】
さらに、消弧体８において、第２固定接点１２に向けられた面である上面には、複数個の凸部８１が左右に並べて上方に突設されている。上記の凸部８１に挟まれた部位は相対的には凹部といえるから、消弧体８の上面には複数個の凹部（溝）が左右に並べて設けられているともいえる。上記のような凹凸により、消弧体８の上面が平面とされる場合に比べて表面積が増加するから、消弧体８が発生させるガスを増加させることができる。
【００２２】
上記構成によれば、消弧体８を挟んで第２固定接点１２の反対側（つまり消弧体８の下側）には部品の配置について特に制限が生じないから、例えば消弧体８が設けられず通気穴４２がハウジング４の上下両側に設けられる場合に比べ、電磁石装置３３や零相変流器３４等の部品の配置の自由度が高くなっている。これにより、零相変流器３４を第２固定接点１２の下側に配置することが可能となっている。
【００２３】
ここで、消弧体８は、上下方向（すなわち固定接点１１，１２が並ぶ方向）と左右方向（すなわち可動接点２１，２２の動作方向）とに直交する方向（図１での紙面に直交する方向）において第２固定接点１２を挟む断面Ｕ字形状としてもよい。上記構成を採用すれば、消弧体８が第２固定接点１２の一方側（図１での下側）のみに位置する場合に比べ、消弧体８が発生させるガスを増加させることができる。
【００２４】
さらに、上記のような電路を複数個有する場合、消弧体８としては、電路に一対一に対応する複数個の消弧体８を用いる代わりに、それら複数個の消弧体８が互いに連結されたような形状の１個の消弧体８を用いることができる。例えば、上記のような電路が図１での紙面奥行き方向に並べて２個設けられている場合、図２に示すように、消弧体８は各第２可動接点２２（及び各第２固定接点１２）を電路毎に個別に挟む断面Ｅ字形状とすることができる。
【符号の説明】
【００２５】
３  引外し装置
４  ハウジング
８  消弧体
１１  第１固定接点（一方の固定接点）
１２  第２固定接点（他方の固定接点）
２１  第１可動接点
２２  第２可動接点
４２  通気穴
８１  凸部
【図１】
2013069463.tif 000003
【図２】
2013069463.tif 000004